(57)【特許請求の範囲】
【請求項１】
筒状に形成することにより植栽木を覆う植栽木用カバーを用いた植栽木用獣害防止具であって、外力を付加しない自然状態で半円状となる湾曲形成部及びこの湾曲形成部の一方の端部から直線状に延出した非湾曲形成部により形成するとともに、多数の被係止段部を長手方向に配列形成してなるバンド本体部，及びこのバンド本体部の一端部に設けることにより、当該バンド本体部の他端部側が挿入し、かつ挿入した前記バンド本体部における任意の被係止段部が係止可能な爪部が臨む挿通孔部を有するバンド係止部を設けてなる生分解性プラスチック素材により一体形成した二以上の結束バンドと、四角形の筒状に形成し、植栽木を覆う各側面部に前記結束バンドが挿通する一対の離間した開孔部を少なくとも二組以上設けてなる生分解性プラスチック素材により一体形成した植栽木用カバーとを備えることを特徴とする植栽木用獣害防止具。
【請求項２】
前記植栽木用カバーは、所定間隔おきに配した複数の通気孔を有することを特徴とする請求項１記載の植栽木用獣害防止具。
【請求項３】
筒状に形成することにより植栽木を覆う植栽木用カバーを使用するための植栽木用獣害防止具の使用方法であって、外力を付加しない自然状態で半円状となる湾曲形成部及びこの湾曲形成部の一方の端部から直線状に延出した非湾曲形成部により形成するとともに、多数の被係止段部を長手方向に配列形成してなるバンド本体部，及びこのバンド本体部の一端部に設けることにより、当該バンド本体部の他端部側が挿入し、かつ挿入した前記バンド本体部における任意の被係止段部が係止可能な爪部が臨む挿通孔部を有するバンド係止部を設けてなる生分解性プラスチック素材により一体形成した二以上の結束バンドと、四角形の筒状に形成し、植栽木を覆う各側面部に前記結束バンドが挿通する一対の離間した開孔部を少なくとも二組以上設けてなる生分解性プラスチック素材により一体形成した植栽木用カバーとを有する植栽木用獣害防止具を備えるとともに、二本の支柱を用意し、地面に打ち込んだ第一の支柱が植栽木の周りを覆う植栽木用カバーの内部における隅部に当接し、結束バンドが当該隅部の両側に位置する開孔部間に挿通することに基づき、前記植栽木用カバーと前記第一の支柱が結束される第一のステップと、この後、前記植栽木用カバーの側面部における中央付近に配し、かつ地面に打ち込んだ第二の支柱に対して、結束バンドが当該側面部における一対の開孔部間に挿通することに基づき、前記植栽木用カバーと前記第二の支柱が結束される第二のステップとを備えることを特徴とする植栽木用獣害防止具の使用方法。
【発明の詳細な説明】
【技術分野】
【０００１】
本発明は、結束バンドを利用した植栽木用獣害防止具及びその使用方法に関する。
【背景技術】
【０００２】
従来、複数の部材等を結束する際に用いる結束バンドとしては、特許文献１及び２で開示される結束バンドが知られている。
【０００３】
特許文献１で開示される結束バンドは、多数の配線類を束ねるバンド部と該バンド部の一端に形成した筒状保持部とを有し、バンド部には長手方向の複数個所に係止溝を形成するとともに、保持部には筒内壁より突出する係止片を設けて、保持部内に挿入されたバンド部の係止溝が係止片と抜け方向でのみ係合するようになした結束バンドであって、係止片の先端部より保持部外へ細棒状の操作体を延出せしめてその端部に把持部を形成し、操作体を延出方向へ引くことにより係止片を非係合状態へ湾曲変形せしめるようにしたものであり、また、特許文献２で開示される結束バンドは、片面に連続列状の歯を有する可撓性の帯体と、該帯体の基部に建設され、帯体を貫通させる挿通穴と該挿通穴内で帯体の歯と係合する斜め前方に向いた可撓性の爪部を有する頭体とから構成される結束バンドであって、爪部の先端に近接する頭体の一方の壁面の前方に庇部が連設されるとともに、この庇部の前端に爪部側に湾曲した湾曲部が設けられたものである。
【先行技術文献】
【特許文献】
【０００４】
【特許文献１】実開平６−４４７５８号公報
【特許文献２】特開平１０−３７９１７号公報
【発明の概要】
【発明が解決しようとする課題】
【０００５】
しかし、上述した従来の結束バンドは、次のような問題点があった。
【０００６】
第一に、この種の結束バンドは、弾性を有する合成樹脂素材により一体形成される場合が一般的であり、通常、結束を行うバンド本体部は全体が直線状に形成される。一方、この種の結束バンドは、紐や針金等の結束具とは異なり、所定の弾性を有しているため、部材等の結束対象物を結束した後は、結束バンド全体に弾性復帰力に基づく応力が常に付加されることになり、結束バンドの形成素材や使用環境などによっては、長期使用による劣化により破断を招くなど、本来の機能、更には耐久性が維持されない虞れがある。
【０００７】
第二に、合成樹脂素材により直線状に形成されることから、使用場所によっては結束作業が困難になる場合も少なくない。即ち、結束対象物の周りに広い空間が確保されている場合には自由な結束作業が可能であるが、結束対象物が狭い空間の中に存在するような場合には、結束対象物の向こう側に手を回すことができないため、他の引掛治具などを用いる必要があるなど、結束作業における作業性及び作業能率の低下を招くとともに、引掛治具などが無い場合には、結束作業が行えない不具合を生じる。
【０００８】
本発明は、このような背景技術に存在する課題を解決した結束バンドを用いた植栽木用獣害防止具及びその使用方法の提供を目的とするものである。
【課題を解決するための手段】
【０００９】
本発明に係る植栽木用獣害防止具５０は、筒状に形成することにより植栽木Ｔを覆う植栽木用カバー５１を用いた植栽木用獣害防止具であって、外力を付加しない自然状態で半円状となる湾曲形成部２ｒ及びこの湾曲形成部２ｒの一方の端部から直線状に延出した非湾曲形成部２ｘにより形成するとともに、多数の被係止段部ｃ…を長手方向Ｄｍに配列形成してなるバンド本体部２，及びこのバンド本体部２の一端部２ｓに設けることにより、当該バンド本体部２の他端部２ｔ側が挿入し、かつ挿入したバンド本体部２における任意の被係止段部ｃが係止可能な爪部ｎが臨む挿通孔部３ｈを有するバンド係止部３を設けてなる生分解性プラスチック素材Ｒにより一体形成した二以上の結束バンド１…と、四角形の筒状に形成し、植栽木Ｔを覆う各側面部に結束バンド１…が挿通する一対の離間した開孔部ｈ，ｈ…を少なくとも二組以上設けてなる生分解性プラスチック素材Ｒにより一体形成した植栽木用カバー５１とを備えることを特徴とする。この場合、発明の好適な態様により、植栽木用カバー５１には、所定間隔おきに配した複数の通気孔ｐ…を設けることができる。
【００１０】
また、本発明に係る植栽木用獣害防止具の使用方法は、筒状に形成することにより植栽木Ｔを覆う植栽木用カバー５１を使用するに際し、外力を付加しない自然状態で半円状となる湾曲形成部２ｒ及びこの湾曲形成部２ｒの一方の端部から直線状に延出した非湾曲形成部２ｘにより形成するとともに、多数の被係止段部ｃ…を長手方向Ｄｍに配列形成してなるバンド本体部２，及びこのバンド本体部２の一端部２ｓに設けることにより、当該バンド本体部２の他端部２ｔ側が挿入し、かつ挿入したバンド本体部２における任意の被係止段部ｃが係止可能な爪部ｎが臨む挿通孔部３ｈを有するバンド係止部３を設けてなる生分解性プラスチック素材Ｒにより一体形成した二以上の結束バンド１…と、四角形の筒状に形成し、植栽木Ｔを覆う各側面部に結束バンド１…が挿通する一対の離間した開孔部ｈ，ｈ…を少なくとも二組以上設けてなる生分解性プラスチック素材Ｒにより一体形成した植栽木用カバー５１とを備える植栽木用獣害防止具５０を備えるとともに、二本の支柱Ｂ，Ｂを用意し、地面に打ち込んだ第一の支柱Ｂが植栽木Ｔの周りを覆う植栽木用カバー５１の内部における隅部に当接し、結束バンド１が当該隅部の両側に位置する開孔部ｈ，ｈ間に挿通することに基づき、植栽木用カバー５１と第一の支柱Ｂが結束される第一のステップと、この後、植栽木用カバーＴの側面部における中央付近に配し、かつ地面に打ち込んだ第二の支柱Ｂに対して、結束バンド１が当該側面部における一対の開孔部ｈ，ｈ間に挿通することに基づき、植栽木用カバー５１と第二の支柱Ｂが結束される第二のステップとを備えることを特徴とする。
【発明の効果】
【００１１】
このような本発明に係る植栽木用獣害防止具５０及びその使用方法によれば、次のような顕著な効果を奏する。
【００１２】
（１）  植栽木用獣害防止具５０は、外力を付加しない自然状態で半円状となる湾曲形成部２ｒ及びこの湾曲形成部２ｒの一方の端部から直線状に延出した非湾曲形成部２ｘにより形成するとともに、多数の被係止段部ｃ…を長手方向Ｄｍに配列形成してなるバンド本体部２，及びこのバンド本体部２の一端部２ｓに設けることにより、当該バンド本体部２の他端部２ｔ側が挿入し、かつ挿入したバンド本体部２における任意の被係止段部ｃが係止可能な爪部ｎが臨む挿通孔部３ｈを有するバンド係止部３を設けてなる生分解性プラスチック素材Ｒにより一体形成した二以上の結束バンド１…と、四角形の筒状に形成し、植栽木Ｔを覆う各側面部に結束バンド１…が挿通する一対の離間した開孔部ｈ，ｈ…を少なくとも二組以上設けてなる生分解性プラスチック素材Ｒにより一体形成した植栽木用カバー５１とを備えるため、使用環境などにより、結束バンド１…の劣化等が進行した場合であっても容易に破断する不具合を回避し、本来の結束機能を維持することができる。また、結束バンド１…による結束作業を容易かつ確実に行うことができるとともに、植栽木用獣害防止具５０を設置する際における作業性の向上及び作業能率の向上を図ることができる。
【００１３】
（２）  植栽木用獣害防止具５０に備える結束バンド１は、バンド本体部２に、外力を付加しない自然状態で半円状となる湾曲形成部２ｒを備えるため、結束対象物を結束した後に結束バンド１全体に作用する弾性復帰力に基づく応力をほぼ半減させることができる。したがって、形成素材や使用環境などにより結束バンド１の劣化等が進行した場合であっても容易に破断する不具合を回避し、本来の結束機能を維持することができる。
【００１４】
（３）  植栽木用獣害防止具５０に備える結束バンド１は、バンド本体部２を、半円状となる湾曲形成部２ｒ及びこの湾曲形成部２ｒの一方の端部から直線状に延出した非湾曲形成部２ｘにより形成するとともに、湾曲形成部２ｒの他方の端部にバンド係止部３を設けてなるため、例えば、結束対象物の向こう側に手を回せないような場合であっても、容易かつ確実な結束作業が可能になるとともに、作業性の向上及び作業能率の向上を図ることができる。
【００１５】
（４）  バンド本体部２及びバンド係止部３は、生分解性プラスチック素材Ｒにより一体形成したため、例えば、森林等の自然の中で使用し、そのまま放置した場合であっても、一定の年数を経過することにより崩壊（分解）し、自然に帰化するため、面倒な回収作業を全く不要にすることができる。
【００１６】
（５）  好適な態様により、植栽木用カバー５１に、所定間隔おきに配した複数の通気孔ｐ…を設ければ、通気性が確保されるため、日本のように高温多湿の風土でも、植栽木用カバー５１の内部を蒸らすことなく、植栽木Ｔの成育環境を良好に維持できる。
【図面の簡単な説明】
【００１７】
【図１】本発明の好適実施形態に係る植栽木用獣害防止具に備える結束バンドの側面図、
【図２】同結束バンドの断面側面図、
【図３】同結束バンドの平面図及び底面図、
【図４】同結束バンドの正面図及び背面図、
【図５】同結束バンドの使用方法説明図、
【図６】本発明の好適実施形態に係る植栽木用獣害防止具の使用状態説明図、
【図７】同植栽木用獣害防止具における植栽木用カバーの一部を示す斜視図、
【図８】同植栽木用獣害防止具を設置する際の設置手順説明図、
【図９】同植栽木用獣害防止具を設置する際の他の設置手順説明図、
【発明を実施するための形態】
【００１８】
次に、本発明に係る好適実施形態を挙げ、図面に基づき詳細に説明する。
【００１９】
まず、本実施形態に係る植栽木用獣害防止具５０に備える結束バンド１の構成について、図１〜図４を参照して具体的に説明する。
【００２０】
結束バンド１は、全体を生分解性プラスチック素材Ｒにより一体形成する。生分解性プラスチック素材Ｒとしては、一例として、一種類または二種類以上の生分解性樹脂を配合した混合樹脂を用いることができる。生分解性樹脂としては、化学合成系生分解性樹脂，天然物系生分解性樹脂，微生物生産系生分解性樹脂のいずれであってもよい。化学合成系生分解性樹脂としては、ポリブチレンサクシネート，ポリブチレンサクシネートアジペート，ポリエチレンサクシネート，ポリエチレンサクシネートアジペート，ポリフチレンアジペートテレフタレート，ポリカプロラクトン，ポリ乳酸，ポリカプロラクトンブチレンサクシネート，ポリブチレンサクシネートカーボネート，ポリエチレンテレフタレートサクシネート，ポリエチレンセバケート，ポリビニルアルコール，ポリグリコール酸，ポリプロピレンカーボネート等を一例として挙げることができる。天然物系生分解性樹脂としては、エステル化澱粉，酢酸セルロース等を一例として挙げることができる。微生物生産系生分解性樹脂としては、ポリ−３−ヒドロキシブチレート，ポリヒドロキシブチレート／３−ヒドロキシヘサノエート，ポリヒドロキシブチレート・バリレート等を一例として挙げることができる。また、これらの生分解性樹脂に対して、澱粉，セルロースなどのバイオマスを混合した混合樹脂を用いてもよい。このような生分解性樹脂の多くはポリエステル系の樹脂であるため、互いに高い相溶性を示すとともに、この種の生分解性樹脂は、微生物により分解され、最終的には二酸化炭素と水に変換される性質を備えている。
【００２１】
結束バンド１を、このような生分解性プラスチック素材Ｒにより一体形成すれば、使用時（結束作業時）には、他の一般的な合成樹脂素材と同様に使用することができる。一方、結束を行った後は、例えば、森林等の自然の中で使用し、そのまま放置した場合であっても、一定の年数を経過することにより崩壊（分解）し、自然に帰化するため、面倒な回収作業を全く不要できる利点がある。
【００２２】
一方、結束バンド１は、基本的な構成として、バンド本体部２とバンド係止部３を備える。バンド本体部２は、図３に示すように、所定の幅（例示は７〔ｍｍ〕程度）を有し、かつ所定の弾性が得られるように厚さ（例示は１〔ｍｍ〕程度）を選定する。また、バンド本体部２は、図１及び図２に示すように、外力を付加しない自然状態で半円状となる湾曲形成部２ｒとこの湾曲形成部２ｒの一方の端部から直線状に延出した非湾曲形成部２ｘにより形成する。これにより、湾曲形成部２ｒの他方の端部がバンド本体部２の一端部２ｓとなり、非湾曲形成部２ｘの先端がバンド本体部２の他端部２ｔとなる。湾曲形成部２ｒの内側面２ｒｆには、幅方向Ｄｓに一体形成した少なくとも一つ以上（例示は５つ）の凸条部４…を設ける。これにより、結束を行う際には、凸条部４…が結束対象物に引掛かるため、円滑かつ安定した作業を行うことができるとともに、結束を行った後も結束バンド１の無用な回動変位を防止できる利点がある。さらに、非湾曲形成部２ｘは、先端側を漸次薄く形成し、後述するバンド係止部３の挿通孔部３ｈに容易に挿入できるように考慮するとともに、非湾曲形成部２ｘにおける、上述した湾曲形成部２ｒを設けた面の反対側の面には、多数の被係止段部ｃ…を長手方向Ｄｍに配列形成する。各被係止段部ｃ…は、図２に示すように、側面視がノコギリ刃形状となるように形成する。これにより、後述する爪部ｎに対しては一方側からの通過は許容されるも戻りは阻止される。
【００２３】
地方、バンド係止部３は、バンド本体部２の一端部２ｓ、即ち、湾曲形成部２ｒにおける、非湾曲形成部２ｘが延出する端部に対して反対側の端部２ｓに一体形成する。バンド係止部３は、図２及び図４に示すように、矩形枠状に形成し、内側に、バンド本体部２の他端部２ｔ側が挿入する挿通孔部３ｈを有するとともに、この挿通孔部３ｈには、この挿通孔部３ｈに挿通したバンド本体部２における任意の被係止段部ｃに係止可能な爪部ｎを臨ませる。したがって、挿通孔部３ｈに対しては、バンド本体部２（非湾曲形成部２ｘ）の他端部２ｔ側を挿入できるとともに、戻り（抜け）は阻止される。
【００２４】
さらに、バンド係止部３には、バンド係止部３とバンド本体部２の係止、即ち、任意の被係止段部ｃに対する爪部ｎの係止を解除可能な係止解除部５を設ける。係止解除部５は、爪部ｎに一体形成し、かつ挿通孔部３ｈから離れる方向に起立突出した操作部１１を有する。これにより、操作部１１を操作し、爪部ｎを挿通孔部３ｈから離れる方向に変位させれば、被係止段部ｃと爪部ｎの係止を解除することができる。このような係止解除部５を設ければ、必要により、結束を行った結束バンド１を取外したい場合、係止解除部５を操作することにより取外し可能となり、使い勝手の向上、更には再利用による資材節減にも寄与できる。
【００２５】
次に、このような構成を備える結束バンド１の基本的な使用方法について、図５を参照して説明する。
【００２６】
結束バンド１は、半円状となる湾曲形成部２ｒ及びこの湾曲形成部２ｒの一方の端部から直線状に延出した非湾曲形成部２ｘにより形成するとともに、湾曲形成部２ｒの他方の端部にバンド係止部３を設けてなるため、例えば、図５に示すように、三本のパイプ部材を含む結束対象物Ｗを、結束バンド１により一方側から結束する場合であっても、以下に記載するように容易に行うことができる。
【００２７】
まず、図５（ａ）に示すように、結束バンド１のバンド本体部２の端部２ｔを一方の手Ｈｐで持ち、湾曲形成部２ｒを、図５（ａ）に示す結束対象物Ｗの他方側に位置させる。そして、図５（ｂ）に示すように、湾曲形成部２ｒを結束対象物Ｗの他方側に係合させる。この後、他方の手Ｈｑでバンド係止部３を押え、一方の手Ｈｐでバンド本体部２の他端部２ｔを、矢印Ｄｃで示す方向に曲げ、挿通孔部３ｈに挿入する。挿入したなら更に押し込み、最終的には、図５（ｃ）に示すように、手Ｈｐにより、バンド本体部２を、これ以上、押し込めない状態まで押し込めばよい。なお、バンド本体部２を押し込む際には、被係止段部ｃ…を有する面に手Ｈｐを当接させるため、凹凸形状の被係止段部ｃ…は、滑り止めとして機能する。これにより、結束バンド１による結束対象物Ｗに対する結束作業は終了する。この状態では、任意の位置における被係止段部ｃに爪部ｎが係止し、バンド係止部３（挿通孔部３ｈ）からのバンド本体部２の抜けは阻止される。
【００２８】
このように、本実施形態に係る結束バンド１によれば、バンド本体部２を、半円状となる湾曲形成部２ｒ及びこの湾曲形成部２ｒの一方の端部から直線状に延出した非湾曲形成部２ｘにより形成するとともに、湾曲形成部２ｒの他方の端部にバンド係止部３を設けてなるため、例示の結束対象物Ｗが、例えば、狭い空間の中に存在し、結束対象物Ｗの向こう側に手Ｈｐを回せないような場合であっても、容易かつ確実な結束作業が可能になるとともに、作業性の向上及び作業能率の向上を図ることができる。しかも、結束バンド１は、バンド本体部２に、外力を付加しない自然状態で半円状となる湾曲形成部２ｒを備えるため、結束対象物を結束した後に結束バンド１全体に作用する弾性復帰力に基づく応力をほぼ半減させることができる。したがって、形成素材や使用環境などにより結束バンド１の劣化等が進行した場合であっても容易に破断する不具合を回避し、本来の結束機能を維持することができる。
【００２９】
なお、必要により、結束した結束バンド１を取外したい場合には、一方の手Ｈｐで操作部１１を手前（一方側）に引き倒せば、爪部ｎが挿通孔部３ｈから離れる方向に変位し、被係止段部ｃに対する爪部ｎの係止を解除することができる。これにより、他方の手Ｈｑでバンド本体部２を挿通孔部３ｈから引き抜けばよく、結束対象物Ｗから結束バンド１を取外すことができる。
【００３０】
次に、このような結束バンド１を使用して好適な植栽木用獣害防止具５０について、図６〜図９を参照して説明する。
【００３１】
まず、植栽木用獣害防止具５０の構成について、図６及び図７を参照して説明する。この植栽木用獣害防止具５０は、図６に示すように、複数（例示は六個）の結束バンド１…と植栽木用カバー５１の組合わせにより構成する。
【００３２】
植栽木用カバー５１は、図７に示すように、全体を生分解性プラスチック素材Ｒにより四辺が等辺となる四角形の筒状に一体形成する。したがって、植栽木用カバー５１は、対角線上に折り畳み、一枚のシート状にすることができ、例えば、丸める等により、容易に持ち運ぶことができる。このため、植栽木用カバー５１の四隅には、軸方向に沿った折線Ｋ…を、例えば、ミシン目等により形成する。
【００３３】
植栽木用カバー５１に用いる生分解性プラスチック素材Ｒは、前述した結束バンド１の形成素材である生分解性プラスチック素材Ｒと同一の素材を用いることができる。この場合、植栽木用カバー５１は、前述した光崩壊性樹脂と生分解性樹脂の配合比或いは他の添加物の使用等により、生分解性プラスチック素材Ｒ（混合樹脂）の崩壊に至る期間を、植栽木Ｔを覆うに必要な年数に調製する。この年数は、通常、植栽後３〜１０年である。したがって、生分解性プラスチック素材Ｒは、植栽木Ｔの植栽される自然環境に放置した状態において、３〜４年程度の経過により崩壊を開始するように調製する。
【００３４】
このため、植栽木用獣害防止具５０に利用する前述した結束バンド１の形成素材もこの植栽木用カバー５１の形成素材に一致させることが望ましい。これにより、結束バンド１と植栽木用カバー５１の生分解特性、即ち、崩壊時期を同じにすることができる。なお、植栽木用カバー５１を製造するに際しては、混合樹脂に係る成形材料を用いて押出成形し、連続した筒状の一体成形品を連続成形するとともに、得られた一体成形品を、予め設定した長さに順次カッティングすればよい。以上の製造工程により、目的の植栽木用カバー５１が得られる。なお、植栽木用カバー５１は、その厚みを選定することにより適度な柔軟性をもたせるとともに、色は乳白色にすることにより太陽光をある程度遮るように留意する。また、植栽木用カバー５１は、図６に示すように、植栽木Ｔを周りから覆って保護する機能を備えるため、その機能を満たすように各寸法を選定する。
【００３５】
一方、植栽木用カバー５１には、結束バンド１が挿通する一対の離間した開孔部ｈ，ｈ…を少なくとも一組以上形成する。例示の場合、起立した植栽木用カバー５１の上部，中間部，下部のそれぞれの高さ位置における各側面部に二つの開孔部ｈ，ｈ…を形成した。なお、開孔部ｈの形状は、結束バンド１の挿入を容易にするため、長孔により形成する。さらに、植栽木用カバー５１には、所定間隔おきに配した複数の通気孔ｐ…を形成する。これにより、植栽木用カバー５１の通気性が確保され、日本のように高温多湿の風土でも、植栽木用カバー５１の内部を蒸らすことなく、植栽木Ｔの成育環境を良好に維持することができる。
【００３６】
次に、植栽木用獣害防止具５０の使用方法について、図６，図８及び図９を参照して説明する。まず、植栽木用獣害防止具５０として、一枚の植栽木用カバー５１と計六個の結束バンド１…を用意する。また、これに加えて、二本の支柱Ｂ，Ｂを用意する。この場合、支柱Ｂ…には、木製の棒材や竹材を用いることができる。例示の支柱Ｂ…には、下端を尖形にカットした竹材を用いた。
【００３７】
植栽木（苗木）Ｔに植栽木用獣害防止具５０を設置するには、まず、図６に示すように、植栽木Ｔから山側へ約５〔ｃｍ〕ほど離れた位置に、第一の支柱Ｂを地面に打ち込む。次いで、持ち運んだ植栽木用カバー５１を筒状に広げる。そして、この植栽木用カバー５１を植栽木Ｔに被せ、図６に示すように、植栽木Ｔの周りを覆う。この際、図８に示すように、植栽木用カバー５１は、内部の隅部に第一の支柱Ｂが当接するように配する。次いで、結束バンド１におけるバンド本体部２の端部２ｔ側を、植栽木用カバー５１の上部位置における一対の開孔部ｈ，ｈに挿通させる。即ち、バンド本体部２の端部２ｔ側を、第一の支柱Ｂの両側に位置する一方の開孔部ｈに外側から挿入し、さらに、他方の開孔部ｈから外側へ突出させる。
【００３８】
これにより、結束バンド１と植栽木用カバー５１の隅部の間に、第一の支柱Ｂを挟むことができ、第一の支柱Ｂと植栽木用カバー５１の隅部が結束バンド１により結束される結束対象物Ｗとなる。したがって、この状態で、結束バンド１におけるバンド本体部２をバンド係止部３の挿通孔部３ｈに挿入して結束すれば、図９に示すように、第一の支柱Ｂに植栽木用カバー５１の隅部を固定することができる。このような結束ハンド１…による結束作業は、図６に示すように、中間部位置及び下部位置においても同様に行う。
【００３９】
次いで、第二の支柱Ｂを、図９に示すように、植栽木用カバー５１の側面部の中央付近に近接させて配し、地面に打ち込む。そして、結束バンド１におけるバンド本体部２の端部２ｔ側を、植栽木用カバー５１の上部位置における一対の開孔部ｈ，ｈに挿通させる。即ち、バンド本体部２の端部２ｔ側を、第二の支柱Ｂの両側に位置する一方の開孔部ｈに外側から挿入し、さらに、他方の開孔部ｈから外側へ突出させる。これにより、第二の支柱Ｂは、植栽木用カバー５１の側面部と結束バンド１により挟まれた状態になり、第二の支柱Ｂと植栽木用カバー５１の側面部が結束対象物Ｗとなる。したがって、この状態で、結束バンド１におけるバンド本体部２をバンド係止部３の挿通孔部３ｈに挿入して結束を行えば、第二の支柱Ｂに植栽木用カバー５１の側面部を固定することができる。このような結束ハンド１…による結束作業は、図６に示すように、中間部位置及び下部位置においても同様に行う。
【００４０】
よって、このような本実施形態に係る植栽木用獣害防止具５０によれば、外力を付加しない自然状態で半円状となる湾曲形成部２ｒ及びこの湾曲形成部２ｒの一方の端部から直線状に延出した非湾曲形成部２ｘにより形成するとともに、多数の被係止段部ｃ…を長手方向Ｄｍに配列形成してなるバンド本体部２，及びこのバンド本体部２の一端部２ｓに設けることにより、当該バンド本体部２の他端部２ｔ側が挿入し、かつ挿入したバンド本体部２における任意の被係止段部ｃが係止可能な爪部ｎが臨む挿通孔部３ｈを有するバンド係止部３を設けてなる生分解性プラスチック素材Ｒにより一体形成した二以上の結束バンド１…と、四角形の筒状に形成し、植栽木Ｔを覆う各側面部に結束バンド１…が挿通する一対の離間した開孔部ｈ，ｈ…を少なくとも二組以上設けてなる生分解性プラスチック素材Ｒにより一体形成した植栽木用カバー５１とを備えるため、使用環境などにより、結束バンド１…の劣化等が進行した場合であっても容易に破断する不具合を回避し、本来の結束機能を維持することができる。また、結束バンド１…による結束作業を容易かつ確実に行うことができるとともに、植栽木用獣害防止具５０を設置する際における作業性の向上及び作業能率の向上を図ることができる。
【００４１】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００４２】
例えば、半円状の湾曲形成部２ｒとは、必ずしも正規の半円状のみならず、同様の目的を達成し得る各種形状、例えば、半楕円状をはじめ、台形状、矩形状、三角形状等も含む概念である。また、湾曲形成部２ｒの内側面２ｒｆに凸条部４…を設けた場合を示したが必ずしも設けることを要しないとともに、バンド係止部３とバンド本体部２の係止を解除可能な係止解除部５を設けた場合を示したが必ずしも設けることを要しない。
【産業上の利用可能性】
【００４３】
本発明に係る樹木用獣害防止具及びその使用方法は、獣類（鳥類を含む）から保護する必要がある森林や果樹園等における各種植栽木（苗木）及びその類似物に利用することができる。
【符号の説明】
【００４４】
１：結束バンド，２：バンド本体部，２ｒ：湾曲形成部，２ｒｆ：湾曲形成部の内側面，２ｘ：非湾曲形成部，２ｓ：バンド本体部の一端部，２ｔ：バンド本体部の他端部，３：バンド係止部，４…：凸条部，５：係止解除部，５０：植栽木用獣害防止具，５１：植栽木用カバー，Ｄｍ：長手方向，Ｄｓ：幅方向，ｃ…：被係止段部，ｎ：爪部，Ｒ：生分解性プラスチック素材，ｈ…開孔部，ｐ…：通気孔，Ｔ：植栽木
【図１】
0005824707.tif 000002
【図２】
0005824707.tif 000003
【図３】
0005824707.tif 000004
【図４】
0005824707.tif 000005
【図５】
0005824707.tif 000006
【図６】
0005824707.tif 000007
【図７】
0005824707.tif 000008
【図８】
0005824707.tif 000009
【図９】
0005824707.tif 000010